(57)【要約】【課題】屋根の袖部に配置される袖瓦の取付強度を高めながら、袖瓦の施工性を向上させることができるようにする。【解決手段】屋根の左袖部に配置される左袖瓦１７の尻部に固定用孔１８を形成すると共に、左袖瓦１７のうちの右方に配置される屋根瓦で覆われる部分（つまり左袖瓦１７の右側部）に補強用孔１９を形成する。左袖瓦１７を屋根に取り付ける場合には、左袖瓦１７の尻部に形成した固定用孔１８に、釘、ネジ等を挿通して下地材に打ち付ける。更に、左袖瓦１７の右側部に形成した補強用孔１９に、釘、ネジ等を挿通して下地材に打ち付けて補強することで、左袖瓦１７の取付強度を高める。この場合、一般的な方向性のない釘、ネジ等を用いて補強することができるため、左袖瓦１７の取付作業を簡単化して、左袖瓦１７の施工性を向上させることができる。【選択図】図１
2008101334.tif 000002
【特許請求の範囲】
【請求項１】
屋根の袖部に配置される袖瓦において、
前記袖瓦のうちの側方に配置される屋根瓦で覆われる部分に、該袖瓦を固定するための釘、ネジ等を挿通するための補強用孔が形成されていることを特徴とする袖瓦。
【請求項２】
前記袖瓦は屋根の左袖部に配置される左袖瓦であり、該左袖瓦の右側部に前記補強用孔が形成されていることを特徴とする請求項１に記載の袖瓦。
【発明の詳細な説明】
【技術分野】
【０００１】
本発明は、屋根の袖部に配置される袖瓦に関するものである。
【背景技術】
【０００２】
屋根に配置される屋根瓦の耐風性や耐震性を高める施工方法として、非特許文献１（瓦屋根標準設計・施工ガイドライン）に記載されているように、屋根瓦の尻部（上部）に形成された固定用孔に、釘、ネジ等を挿通して下地材（桟木等）に打ち付けることで屋根瓦を固定するようにしたものがある。更に、屋根瓦の取付強度を高めるために、屋根瓦の側端部付近の下地材に略７形状の釘（いわゆる７形釘）を打ち付け、この７形釘の頭部で屋根瓦の側端部を押さえ付けて補強するようにしたものがある。
【非特許文献１】「瓦屋根標準設計・施工ガイドライン」、社団法人全日本瓦工業連盟、平成１３年８月１３日、ｐ．４４
【発明の開示】
【発明が解決しようとする課題】
【０００３】
ところで、屋根の袖部（側縁部）に配置される袖瓦においても、上述した７形釘を用いた補強方法を採用することで取付強度を高めることができる。しかし、７形釘は方向性があるため、７形釘を用いた補強方法は、７形釘の頭部を袖瓦の側端部に向けた状態に保持しながら７形釘を下地材に打ち付ける必要があり、袖瓦の取付作業が非常に面倒で、袖瓦の施工性があまり良くないという欠点がある。
【０００４】
本発明は、このような事情を考慮してなされたものであり、従って本発明の目的は、袖瓦の取付強度を高めることができると共に、袖瓦の施工性を向上させることができる袖瓦を提供することにある。
【課題を解決するための手段】
【０００５】
上記目的を達成するために、請求項１に係る発明は、屋根の袖部に配置される袖瓦において、袖瓦のうちの側方に配置される屋根瓦で覆われる部分に、該袖瓦を固定するための釘、ネジ等を挿通するための補強用孔を形成するようにしたものである。
【０００６】
このようにすれば、袖瓦に形成された補強用孔に、釘、ネジ等を挿通して下地材に打ち付けて補強することで袖瓦の取付強度を高めることができる。この場合、一般的な方向性のない釘、ネジ等を用いて補強することができるため、方向性のある７形釘を用いた補強方法に比べて、袖瓦の取付作業を簡単に行うことができ、袖瓦の施工性を向上させることができる。しかも、袖瓦のうちの側方に配置される屋根瓦で覆われる部分に補強用孔が形成されているため、補強用孔に挿通した釘、ネジ等を、側方に配置される屋根瓦で覆い隠すことができ、屋根の袖部の外観性を損なうこともない。
【０００７】
本発明は、請求項２のように、屋根の左袖部に配置される左袖瓦に適用して、左袖瓦の右側部に補強用孔を形成するようにすると良い。例えば、屋根の左袖部に配置されるＪ形の左袖瓦は、その右方に配置される屋根瓦で右側部が覆われるため、Ｊ形の左袖瓦の右側部に補強用孔を形成すれば、補強用孔に挿通した釘、ネジ等を、右方に配置される屋根瓦で覆い隠すことができる。
【発明を実施するための最良の形態】
【０００８】
以下、本発明の一実施例を図面に基づいて説明する。
図２に示すように、屋根の桁行方向（屋根の傾斜方向と直角方向）に延びる瓦桟１１が釘、ネジ等により所定の間隔で固定され、この瓦桟１１の上に、Ｊ形の桟瓦１２が、屋根の下部から上部に向かって順に取り付けられていると共に、屋根の左部から右部に向かって順に取り付けられている。
【０００９】
各桟瓦１２は、桟瓦１２の下側部がその下方に配置された桟瓦１２の上側部に重なり合うように配置されると共に、桟瓦１２の左側部がその左方に配置された桟瓦１２の右側部に重なり合うように配置されている。各桟瓦１２は、尻部（上部）に形成された固定用孔１３に、釘、ネジ等の止め金具１４を挿通して瓦桟１１に打ち付けることで固定されている。尚、固定用孔１３に、釘、ネジ等の止め金具１４を挿通して固定する方法を採用しない場合もある。
【００１０】
また、各桟瓦１２の右下側角部と左上側角部には、それぞれ切り欠き部１５，１６が形成され、各桟瓦１２の右下側角部の切り欠き部１５が、その斜め下方に配置された桟瓦１２の左上側角部の切り欠き部１６に係合支持されている。
【００１１】
一方、屋根の左袖部（左側縁部）には、Ｊ形の左袖瓦１７が取り付けられている。各左袖瓦１７は、左袖瓦１７の下側部がその下方に配置された左袖瓦１７の上側部に重なり合うように配置され、各左袖瓦１７の右方に配置される桟瓦１２は、桟瓦１２の左側部が左袖瓦１７の右側部に重なり合うように配置されている。
【００１２】
次に、図１乃至図３を用いて左袖瓦１７の構成及び取付構造について説明する。
図１に示すように、左袖瓦１７の尻部（上部）には、釘、ネジ等の止め金具１４を挿通するための複数（又は１つ）の固定用孔１８が形成されている。また、左袖瓦１７のうちの右方に配置される桟瓦１２で覆われる部分（つまり左袖瓦１７の右側部）には、釘、ネジ等の止め金具１４を挿通するための１つ（又は複数）の補強用孔１９が形成されている。これらの固定用孔１８と補強用孔１９は、予め左袖瓦１７の製造工程（例えば成形工程）で形成したものである。更に、左袖瓦１７の右下側角部には、桟瓦１２の左上側角部の切り欠き部１６と係合する切り欠き部２０が形成されている。
【００１３】
図２に示すように、左袖瓦１７は、尻部に形成された固定用孔１８に、釘、ネジ等の止め金具１４を挿通して瓦桟１１に打ち付けることで固定されている。尚、固定用孔１８に、釘、ネジ等の止め金具１４を挿通して固定する方法を採用しない場合もある。また、各左袖瓦１７の右下側角部の切り欠き部２０が、その斜め下方に配置された桟瓦１２の左上側角部の切り欠き部１６に係合支持されている。
【００１４】
更に、図３に示すように、左袖瓦１７の右側部に形成された補強用孔１９に、釘、ネジ等の止め金具１４を挿通して瓦桟１１に打ち付けて補強することで、左袖瓦１７の取付強度を高めるようにしている。この補強用孔１９に挿通した釘、ネジ等の止め金具１４は、左袖瓦１７の右方に配置される桟瓦１２で覆い隠されるようになっている。
【００１５】
以上説明した本実施例では、左袖瓦１７の右側部に補強用孔１９を形成するようにしたので、補強用孔１９に、釘、ネジ等の止め金具１４を挿通して瓦桟１１に打ち付けて補強することで左袖瓦１７の取付強度を高めることができる。この場合、一般的な方向性のない釘、ネジ等の止め金具１４を用いて補強することができるため、方向性のある７形釘を用いた補強方法に比べて、左袖瓦１７の取付作業を簡単に行うことができ、左袖瓦１７の施工性を向上させることができる。
【００１６】
しかも、左袖瓦１７のうちの右方に配置される桟瓦１２で覆われる部分に補強用孔１９を形成するようにしたので、補強用孔１９に挿通した釘、ネジ等の止め金具１４を、右方に配置される桟瓦１２で覆い隠すことができ、屋根の袖部の外観性を向上させることができるという利点もある。
【００１７】
尚、上記実施例では、屋根の左袖部に配置される左袖瓦の右側部に補強用孔を形成するようにしたが、これに限定されず、屋根の右袖部に配置される右袖瓦の左側部が、その左方に配置される屋根瓦で覆われる屋根構造の場合には、右袖瓦の左側部に補強用孔を形成するようにしても良く、要は、袖瓦のうちの側方に配置される屋根瓦で覆われる部分に補強用孔を形成すれば良い。
【００１８】
また、上記実施例では、側方に配置される屋根瓦で覆われる部分に補強用孔を形成する技術を袖瓦に適用したが、この技術を屋根の軒部に配置される軒瓦に適用して、軒瓦のうちの側方の屋根瓦（軒瓦）で覆われる部分に補強用孔を形成するようにしても良い。
【図面の簡単な説明】
【００１９】
【図１】本発明の一実施例１における左袖瓦の外観斜視図である。
【図２】左袖瓦及び桟瓦の取付構造を示す斜視図である。
【図３】左袖瓦及び桟瓦の取付構造を示す縦断面図である。
【符号の説明】
【００２０】
１２…桟瓦、１４…止め金具、１７…左袖瓦、１８…固定用孔、１９…補強用孔
【図１】
2008101334.tif 000003
【図２】
2008101334.tif 000004
【図３】
2008101334.tif 000005